(57)【要約】      （修正有）【課題】変形可能に連結された二つのケースのうち一方のケース側にて表示を行うことができる簡潔な構成の発光玩具を提供する。【解決手段】発光玩具１０は、発光部及び発光部に電力を供給する電源部を収容し、発光部によって発せられる光をケース外部に出射可能な出射部２６が形成された第１ケース２０と、光をケース内部に導入可能な入射部３３が形成され、入射部に入射した光で背面側から照明されることによって表示を行う表示部３５を収容した第２ケース３０と、を備え、第１ケースと第２ケースとは、出射部と入射部とが非対向状態となる第１形態と、出射部と入射部とが対向状態となる第２形態と、の間で変形可能に連結されている。【選択図】図２
2020171775.tif 000002
【特許請求の範囲】
【請求項１】
発光部及び前記発光部に電力を供給する電源部を収容し、前記発光部によって発せられる光をケース外部に出射可能な出射部が形成された第１ケースと、
光をケース内部に導入可能な入射部が形成され、前記入射部を通してケース内部に導入された光で表示部背面側から照明されることによって表示を行う表示部を収容した第２ケースと、
を備え、
第１ケースと第２ケースとは、前記出射部と前記入射部とが非対向状態となる第１形態と、前記出射部と前記入射部とが対向状態となる第２形態と、の間で変形可能に連結されている発光玩具。
【請求項２】
請求項１記載の発光玩具であって、
前記第１形態において、前記出射部は露出している発光玩具。
【請求項３】
請求項１又は２記載の発光玩具であって、
前記第２形態において、前記表示部を正面から見る視認方向と、前記出射部から前記入射部に入射する光の光軸方向とは異なる発光玩具。
【請求項４】
請求項１から３のいずれか一項記載の発光玩具であって、
前記第２ケースは、前記表示部の一部の表示領域を露出させる窓を有し、
前記表示部は、前記第２ケースの内部で移動可能であって、直接的に又は前記第２ケースに設けられる可動部を介して間接的に移動操作され、
前記表示部が移動されることにより、前記窓に露出する表示領域が変更される発光玩具。
【請求項５】
請求項４記載の発光玩具であって、
前記第２ケース側に設けられ、前記窓に露出している表示領域を示す指示部と、
前記第１ケース側に設けられ、前記指示部によって示される前記窓に露出している表示領域を検出する検出部と、
を含み、
前記発光部は、前記検出部によって検出された表示領域に基づいて発光態様を変化させる発光玩具。
【発明の詳細な説明】
【技術分野】
【０００１】
本発明は、発光玩具に関する。
【背景技術】
【０００２】
特許文献１に記載された電子装置は、ヒンジ部によって相対回動可能に連結された第１筐体及び第２筐体を備える折り畳み式電子装置であって、第１筐体には液晶等の電子表示部及び回路基板が収容されており、第２筐体には電源及び回路基板が収容されている。第１筐体の回路基板と第２筐体の回路基板とはフレキシブルプリント板を介して相互に接続され、フレキシブルプリント板は第１筐体と第２筐体とを連結するヒンジ部に配置されている。
【先行技術文献】
【特許文献】
【０００３】
【特許文献１】特開平８−１８６６２８号公報
【発明の概要】
【発明が解決しようとする課題】
【０００４】
特許文献１に記載された電子装置では、第１筐体と第２筐体とを相対回動可能に連結するヒンジ部にフレキシブルプリント板が配置されており、配線の取り回しが複雑であり、また、第１筐体と第２筐体との相対回動に対する配線の耐久性を考慮する必要があった。
【０００５】
本発明は、変形可能に連結された二つのケースのうち一方のケース側に電源及び回路基板を収容し、他方のケースに収容された表示部の表示を行うことができる簡潔な構成の発光玩具を提供することを目的とする。
【課題を解決するための手段】
【０００６】
本発明に係る発光玩具は、発光部及び前記発光部に電力を供給する電源部を収容し、前記発光部によって発せられる光をケース外部に出射可能な出射部が形成された第１ケースと、光をケース内部に導入可能な入射部が形成され、前記入射部を通してケース内部に導入された光で表示部背面側から照明されることによって表示を行う表示部を収容した第２ケースと、を備え、第１ケースと第２ケースとは、前記出射部と前記入射部とが非対向状態となる第１形態と、前記出射部と前記入射部とが対向状態となる第２形態と、の間で変形可能に連結されていることを特徴とする。
【０００７】
また、本発明に係る発光玩具においては、前記第１形態において、前記出射部は露出していてもよい。
【０００８】
また、本発明に係る発光玩具においては、前記第２形態において、前記表示部を正面から見る視認方向と、前記出射部から前記入射部に入射する光の光軸方向とは異なっていてもよい。
【０００９】
また、本発明に係る発光玩具においては、前記第２ケースは、前記表示部の一部の表示領域を露出させる窓を有し、前記表示部は、前記第２ケースの内部で移動可能であって、直接的に又は前記第２ケースに設けられる可動部を介して間接的に移動操作され、前記表示部が移動されることにより、前記窓に露出する表示領域が変更されてもよい。
【００１０】
また、本発明に係る発光玩具においては、前記第２ケース側に設けられ、前記窓に露出している表示領域を示す指示部と、前記第１ケース側に設けられ、前記指示部によって示される前記窓に露出している表示領域を検出する検出部と、を含み、前記発光部は、前記検出部によって検出された表示領域に基づいて発光態様を変化させてもよい。
【発明の効果】
【００１１】
本発明によれば、変形可能に連結された二つのケースのうち一方のケース側に電源及び発光部を収容し、他方のケースに収容された表示部の表示を行うことができる簡潔な構成の発光玩具を提供することができる。
【図面の簡単な説明】
【００１２】
【図１】本発明の実施形態を説明するための、発光玩具の一例の第１形態での外観を示す斜視図である。
【図２】図１の発光玩具の第２形態での外観を示す斜視図である。
【図３】図１の発光玩具の内部の構成を示す模式図である。
【図４】図１の発光玩具の変形例の分解斜視図である。
【図５】図４の発光玩具の動作を示す正面図である。
【図６】図４の発光玩具の変形例を示す模式図である。
【図７】本発明の実施形態を説明するための、発光玩具の他の例の模式図である。
【図８】本発明の実施形態を説明するための、発光玩具の他の例の模式図である。
【発明を実施するための形態】
【００１３】
図１及び図２は、本発明の実施形態を説明するための、発光玩具の一例の外観を示し、図３は発光玩具の内部の構成を示す。
【００１４】
発光玩具１０は、第１ケース２０と第２ケース３０とを備える。第１ケース２０と第２ケース３０とは、第１ケース２０の一側面及び第２ケース３０の一側面に跨って設けられたヒンジ部４０によって相対回動可能に連結されており、第１ケース２０及び第２ケース３０それぞれの上記一側面が同一面上、つまり、非対向状態に並んで配置される折り畳み状態（図１参照）から第１ケース２０及び第２ケース３０それぞれの上記一側面が互いに対向して配置される展開状態（図２参照）への回動、及び展開状態から折り畳み状態への回動が可能に構成されている。
【００１５】
第１ケース２０には、ＬＥＤ素子などを光源として含む発光部２２と、電池を含み発光部２２に電力を供給する電源部２３とが収容されている。折り畳み状態及び展開状態のいずれにおいても露出している第１ケース２０の背面には電源スイッチ２５が設けられており、電源部２３は電源スイッチ２５の操作によってオン／オフの切り換えがなされる。なお、発光部２２は電源スイッチ２５の操作によってオン／オフの切り替えがなされることによって発光しても良いし、電源スイッチ２５をオン状態に操作した後、第１ケース２０に設けられた操作部２８に所定の操作がされることによって発光しても良い。
【００１６】
そして、第１ケース２０には、発光部２２によって発せられる光を第１ケース２０の外部に出射可能な出射部２６が設けられている。他方、第２ケース３０には、光をケース内部に導入可能な入射部３３が設けられている。
【００１７】
第１ケース２０の出射部２６は、ヒンジ部４０が接続された第１ケース２０の一側面に設けられており、第２ケース３０の入射部３３は、ヒンジ部４０が接続された第２ケース３０の一側面に設けられている。したがって、折り畳み状態では、第１ケース２０の出射部２６と第２ケース３０の入射部３３とが非対向状態、つまり逸れている状態となり、第１ケース２０の出射部２６は露出しており、第２ケース３０の入射部３３もまた露出している。そして、展開状態に変形されることにより、第１ケース２０の出射部２６と第２ケース３０の入射部３３とが対向状態となり、出射部２６から出射された光が入射部３３を通して第２ケース３０の内部に導入される。
【００１８】
なお、図示の例では、第１ケース２０の出射部２６には、発光玩具１０の内部に埃や水分などが侵入するのを防ぐ目的でアクリル板等の透光性の蓋部材が嵌め込まれているが、出射部２６は単なる孔であってもよい。第２ケース３０の入射部３３にも同様に透光性の蓋部材が嵌め込まれているが、入射部３３は単なる孔であってもよい。さらにまた、入射部３３に遮光性の蓋部材を開閉自在に取り付けると共に第１ケース２０側に突起を設け、発光玩具１０を展開した時に第１ケース２０側の突起によって蓋部材が第２ケース３０の内側に押し込まれることにより光が第２ケース３０の内部に導入されるように構成してもよい。また、出射部２６に遮光性の蓋部材を開閉自在に取り付けると共に第２ケース３０側に突起を設け、発光玩具１０を展開した時に第２ケース３０側の突起によって蓋部材が第１ケース２０の内側に押し込まれることにより光が第２ケース３０の内部に導入されるように構成してもよい。
【００１９】
第２ケース３０には、入射部３３を通して第２ケース３０の内部に導入された光を利用して表示を行う表示部３５が収容されている。表示部３５は、折り畳み状態において第１ケース２０によって覆われ、展開状態において露出する第２ケース３０の正面に沿って配置されており、第２ケース３０の正面は窓３４ａを有するカバー部材３４によって構成されている。窓３４ａを通して露出する表示部３５の表示領域には、文字、マーク、絵柄、或いはこれらの組み合わせで構成された表示パターン３５ａが印刷などによって付されている。表示部３５は、透光性の部材からなり、表示パターン３５ａが付された面とは反対の背面側から表示部３５が照明されると、表示パターン３５ａが明瞭に視認可能となり、表示パターン３５ａに応じた表示がなされる。
【００２０】
ここで、第２ケース３０の正面に沿って配置された表示部３５を正面から見る視認方向と、第１ケース２０の出射部２６から出射され、第２ケース３０の側面に設けられた入射部３３を通して第２ケース３０の内部に導入される光の光軸方向とは略直交しており、表示部３５は、入射部３３を通して第２ケース３０の内部に導入され且つ第２ケース３０の内部で反射および拡散された光により背面側から照明される。これにより、表示部３５の輝度ムラが抑制される。なお、輝度ムラを抑制するために第２ケース３０の内部に光拡散部材を設けても良い。
【００２１】
以上のように構成された発光玩具１０では、第１ケース２０の出射部２６と第２ケース３０の入射部３３とが対向して配置される展開状態（第２形態）において、第１ケース２０に収容されている発光部２２にて発せられた光が、第１ケース２０の出射部２６から出射され、入射部３３を通して第２ケース３０の内部に導入される。そして、第２ケース３０の内部に導入された光によって第２ケース３０に収容された表示部３５が照明されて表示がなされる。このように、第２ケース３０の表示部３５を照明する光を発する発光部２２を、第２ケース３０ではなく、電源部２３を収容した第１ケース２０に収容することにより、第１ケース２０と第２ケース３０とに跨る配線を不要とすることができ、発光玩具１０の構成を簡潔なものとすることができる。つまり、二つのケースを跨ぐ配線を不要とすることができるため、第１ケース２０と第２ケース３０との相対回動に対する配線の耐久性について考慮が不要となる。また、組立性が向上する。
【００２２】
さらに、発光玩具１０では、第１ケース２０の出射部２６と第２ケース３０の入射部３３とが非対向状態、つまり逸れている状態となる折り畳み状態（第１形態）において、露出している出射部２６を発光させることもでき、展開状態（第２形態）とは異なる部位を発光させ、玩具としての興趣性を高めることができる。興趣性を高める観点から、出射部２６に嵌め込まれた透光性の蓋部材に文字、マーク、絵柄、或いはこれらの組み合わせで構成された表示パターンを印刷などによって付し、又は出射部２６を適宜なマークの形に形成してもよい。
【００２３】
図４及び図５は、上述した発光玩具１０の変形例を示す。
【００２４】
図４に示す例は、第２ケース３０の窓３４ａを通して視認される表示部３５の表示を切り替え可能に構成したものである。表示部３５は、略円形状に形成されており、四つの扇形状の表示領域に区分され、表示領域それぞれに異なる表示パターン３５ａが付されている。表示部３５の四つの表示領域のうち一つの表示領域が、窓３４ａを通して露出され、視認可能とされる。そして、表示部３５は、第２ケース３０の正面と平行な面内で表示部３５の中心まわりに回転可能に支持されており、表示部３５の回転に伴い、窓３４ａを通して露出される表示部３５の表示領域が切り替わる。
【００２５】
本例では、第２ケース３０は、入射部３３が設けられ且つ表示部３５が収容された上部３０ａと、下部３０ｂとに二分割されており、下部３０ｂは、表示部３５の回転軸まわりに上部３０ａに対して回動可能に構成されている。そして、下部３０ｂは表示部３５と連結されており、表示部３５は下部３０ｂの回動操作に連動して回転される。使用者によって下部３０ｂが回動操作されることにより、図５に示すように、下部３０ｂの回動操作に連動して表示部３５が回動し、カバー部材３４の窓３４ａを通して露出される表示部３５の表示領域が切り替わる。なお、表示部３５の一部を第２ケースの外部に露出させ、表示部３５を手動で直接回動させるようにしてもよい。
【００２６】
なお、窓３４ａを通して露出する表示部３５の表示領域の切り替えに合わせて発光部２２の発光態様（例えば発光パターンや発光色など）を変化させてもよい。図６に示す例では、窓３４ａを通して露出している表示部３５の表示領域を示す指示部として、表示部３５の四つの表示領域それぞれに対応する四つのＲＦＩＤタグ３６ａ〜３６ｄを表示部３５に設け、第１ケース２０側には、指示部を構成するＲＦＩＤタグの電波を受信するＲＦＩＤリーダを含み、窓３４ａを通して露出している表示部３５の表示領域を検出する検出部２７を設けている。
【００２７】
四つのＲＦＩＤタグ３６ａ〜３６ｄは、表示部３５の外周部に９０°間隔に配置されており、検出部２７に最も接近して配置される一つのＲＦＩＤタグの電波が検出部２７によって受信される。そして表示部３５の回動に伴い、窓３４ａを通して露出する表示部３５の表示領域の切り替えに合わせて、検出部２７に最も接近して配置されるＲＦＩＤタグもまた切り替わる。これにより、窓３４ａを通して露出している表示部３５の表示領域が検出され、発光部２２は、検出部２７によって検出された表示領域に応じて光の発光態様を変化させる。なお、第１ケース２０内に、音声、動作、他の表示部等の演出を出力する演出出力部（図示せず）を備え、検出部２７によって検出された表示領域に応じて光の発光態様を変化させるとともに、表示領域に応じた演出を出力しても良い。
【００２８】
なお、指示部の構成及びその検出方法はＲＦＩＤに限定されず、例えばスイッチや突起や磁石などであって、第１ケースと第２ケースとが電気的な接続をもたなくても、展開状態（第２形態）、つまり、ヒンジ部４０が接続された第１ケース２０の一側面と、ヒンジ部４０が接続された第２ケース３０の一側面とが対向状態となった際に、検出部２７が検出可能となる指示部の構成及び検出方法であれば、その手段は問わない。
【００２９】
以上説明した発光玩具１０では、第２ケース３０内には電源及び回路基板を含まないため、第２ケース３０の内部に上述したような第２ケース３０を回動操作可能とするような構成を収容することが可能となる。また、第２ケース３０の小型化や省スペース化が可能となる。
【００３０】
また、以上説明した発光玩具１０では、第１ケース２０と第２ケース３０とがヒンジ部４０によって連結され、折り畳み状態と展開状態との間で変形可能に構成されているが、第１ケース２０と第２ケース３０との連結方式は、これに限定されるものではなく、例えば図７に示すように、第１ケース２０と第２ケース３０とを両者の対向面に平行な面内で回動させる方式や、図８に示すように、第１ケース２０と第２ケース３０とを両者の対向面に平行な面内でスライドさせる方式によって両者を連結してもよい。これらの場合においても、第１ケース２０に発光部２２と電源部２３とをまとめて収容し、第２ケース３０に表示部３５を収容して、上述した発光玩具１０と同様の効果を得ることができる。
【００３１】
また、以上説明した発光玩具１０では、表示部３５は展開状態（第２形態）において露出する第２ケース３０の正面に沿うよう構成され、第１ケース２０の出射部２６から出射され、第２ケース３０の側面に設けられた入射部３３を通して第２ケース３０の内部に導入される光の光軸方向とは略直交しているが、これに限定されるものではなく、表示部３５の視認方向と、第１ケース２０の出射部２６から出射される光の光軸方向とは直交ではなく交差していれば良い。この場合においても、表示部３５は、入射部３３を通して第２ケース３０の内部に導入され且つ第２ケース３０の内部で拡散された光により表示部背面側から照明される。
【符号の説明】
【００３２】
１０   発光玩具
２０   第１ケース
２２   発光部
２３   電源部
２６   出射部
２７   検出部
３０   第２ケース
３０ａ 上部
３０ｂ 下部（可動部）
３３   入射部
３４   カバー部材
３４ａ 窓
３５   表示部
３６ａ〜３６ｄ ＲＦＩＤタグ（指示部）
４０   ヒンジ部
【図１】
2020171775.tif 000003
【図２】
2020171775.tif 000004
【図３】
2020171775.tif 000005
【図４】
2020171775.tif 000006
【図５】
2020171775.tif 000007
【図６】
2020171775.tif 000008
【図７】
2020171775.tif 000009
【図８】
2020171775.tif 000010
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
発光部及び前記発光部に電力を供給する電源部を収容し、前記発光部によって発せられる光をケース外部に出射可能な出射部が形成された第１ケースと、
前記出射部より出射された光で照明される被照明部が設けられた第２ケースと、
を備え、
第１ケースと第２ケースとは、前記被照明部が前記出射部より出射された光で照明されない第１形態と、前記被照明部が前記出射された光で照明される第２形態と、の間で変形可能に連結されており、
前記第１ケースと前記第２ケースはヒンジ部によって相対回動可能に連結されており、
前記第１形態は、前記第１ケースと前記第２ケースとが前記ヒンジ部により折りたたまれた形態と前記第１ケースと前記第２ケースとが前記ヒンジ部により展開された形態のいずれか一方の形態であり、前記第２形態は、前記第１ケースと前記第２ケースとが前記ヒンジ部により折りたたまれた形態と前記第１ケースと前記第２ケースとが前記ヒンジ部により展開された形態のいずれか他方の形態である発光玩具。
【請求項２】
請求項１記載の発光玩具であって、
前記第１形態において、前記出射部は露出している発光玩具。
【請求項３】
請求項１又は２記載の発光玩具であって、
前記第２形態において、前記被照明部を正面から見る視認方向と、前記出射部から出射された光の光軸方向とは異なる発光玩具。
【手続補正２】
【補正対象書類名】明細書
【補正対象項目名】０００６
【補正方法】変更
【補正の内容】
【０００６】
本発明に係る発光玩具は、発光部及び前記発光部に電力を供給する電源部を収容し、前記発光部によって発せられる光をケース外部に出射可能な出射部が形成された第１ケースと、光をケース内部に導入可能な入射部が形成され、前記入射部を通してケース内部に導入された光で表示部背面側から照明されることによって表示を行う表示部を収容した第２ケースと、を備え、第１ケースと第２ケースとは、前記出射部と前記入射部とが非対向状態となる第１形態と、前記出射部と前記入射部とが対向状態となる第２形態と、の間で変形可能に連結されていることを特徴とする。また、本発明に係る発光玩具は、発光部及び前記発光部に電力を供給する電源部を収容し、前記発光部によって発せられる光をケース外部に出射可能な出射部が形成された第１ケースと、前記出射部より出射された光で照明される被照明部が設けられた第２ケースと、を備え、第１ケースと第２ケースとは、前記被照明部が前記出射部より出射された光で照明されない第１形態と、前記被照明部が前記出射された光で照明される第２形態と、の間で変形可能に連結されており、前記第１ケースと前記第２ケースはヒンジ部によって相対回動可能に連結されており、前記第１形態は、前記第１ケースと前記第２ケースとが前記ヒンジ部により折りたたまれた形態と前記第１ケースと前記第２ケースとが前記ヒンジ部により展開された形態のいずれか一方の形態であり、前記第２形態は、前記第１ケースと前記第２ケースとが前記ヒンジ部により折りたたまれた形態と前記第１ケースと前記第２ケースとが前記ヒンジ部により展開された形態のいずれか他方の形態である。
【手続補正３】
【補正対象書類名】明細書
【補正対象項目名】０００８
【補正方法】変更
【補正の内容】
【０００８】
また、本発明に係る発光玩具においては、前記第２形態において、前記表示部を正面から見る視認方向と、前記出射部から前記入射部に入射する光の光軸方向とは異なっていてもよい。また、本発明に係る発光玩具においては、前記第２形態において、前記被照明部を正面から見る視認方向と、前記出射部から出射された光の光軸方向とは異なっていてもよい。